(57)【要約】【課題】両面印刷において印刷総ページが奇数ページであるとき印刷時間が長くなるのを防止する。【解決手段】給紙トレイ４１又は４２から給紙される転写紙Ｐは、画像形成部１の感光体ドラム１１のトナー像が転写装置１６で転写され、定着装置１７で定着される。片面印刷の場合は、排紙ローラ１９により排紙部２４に排紙される。両面印刷の場合は、偶数頁が第１面に印刷された転写紙は反転給紙部３にて印刷面が反転され、画像形成部１で第２面に奇数頁が印刷され、排紙ローラ１９により排紙部２４に排紙される。不図示のメインコントローラのＣＰＵは、印刷最終頁が奇数頁か偶数頁か判定し、奇数頁のとき、奇数頁を第１面に印刷して排紙する。【選択図】        図２
2004226586.tif 000002
【特許請求の範囲】
【請求項１】
転写シートの第１の面に原稿の偶数ページを印刷し、該転写シートの印刷面を反転し、反転した転写シートの第２の面に原稿の奇数ページを印刷する印刷装置において、
原稿の最終ページが奇数ページか偶数ページかを判定する手段と、原稿の最終ページが奇数ページであると判定されたとき、転写シートの第１の面に原稿の奇数ページを印刷する手段と、を備えたことを特徴とする印刷装置。
【請求項２】
転写シートの第１の面に原稿の偶数ページを印刷し、該転写シートの印刷面を反転し、反転した転写シートの第２の面に原稿の奇数ページを印刷する印刷装置において、
原稿の最終ページが奇数ページか偶数ページかを判定する手段と、転写シートの第１及び第２の面が表裏の区別を有するか否かを判定する手段と、原稿の最終ページが奇数ページであり且つ転写シートの第１及び第２の面が表裏の区別を有すると判定されたとき、転写シートの第２の面に原稿の奇数ページを印刷する手段と、を備えたことを特徴とする印刷装置。
【請求項３】
転写シートの第１の面に原稿の偶数ページを印刷し、該転写シートの印刷面を反転し、反転した転写シートの第２の面に原稿の奇数ページを印刷する印刷装置において、
片面印刷が指示されたか両面印刷が指示されたかを判定する手段と、片面印刷が指示されたと判定されたとき、転写シートに原稿を印刷する手段と、該転写シートの印刷面を反転して排紙する手段と、を備えたことを特徴とする印刷装置。
【請求項４】
転写シートの第１の面に原稿の偶数ページを印刷し、該転写シートの印刷面を反転し、反転した転写シートの第２の面に原稿の奇数ページを印刷する印刷装置において、
片面印刷が指示されたか両面印刷が指示されたかを判定する手段と、転写シートの第１及び第２の面が表裏の区別を有するか否かを判定する手段と、片面印刷が指示され且つ転写シートの第１及び第２の面が表裏の区別を有すると判定されたとき、転写シートの第１の面に原稿を印刷し、該転写シートの印刷面を反転して排紙する手段と、を備えたことを特徴とする印刷装置。
【発明の詳細な説明】
【０００１】
【発明の属する技術分野】
本発明は、転写シートの印刷面を反転させて給紙する反転給紙機構を用いて両面印刷及び片面印刷を行う印刷装置に関する。
【０００２】
【従来の技術】
従来、両面記録方式による画像形成装置として、記録紙の表面に記録した後、この記録紙を反転させて裏面に印刷を行う方式の画像形成装置が発明されている。この画像形成装置は、記録紙を収納する記録紙カセット、該記録紙カセットから記録紙を給紙する給紙手段、給紙された記録紙を搬送する搬送手段、搬送された記録紙の一方の面及び他方の面に個別に画像形成を行う画像形成手段、この画像形成のために記録紙の面を反転して搬送する反転給紙手段、中間記録紙トレイ及び排紙トレイを有している。
【０００３】
上記画像形成装置において、記録紙に画像形成しようとする画情報の記録総ページが偶数の場合は、記録紙の両面に白紙を生じることなく記録されるが、奇数ページの場合は、記録紙の最後の記録紙に白紙が存在する。一般的にこのような画像形成装置がファクシミリ装置として使用される場合においては、宛先、発信元等の情報を最初のページとし、実際の用件の情報を第２ページ以降として送信する場合が多い。このため、用件に関するページのみを保存、整理する場合は、総ページが偶数のとき、第１ページ目の表裏を逆にして保存、整理すれば一応の形は整うが、総ページが奇数の場合は、用件のみのページが偶数であるにも関らず用件のページが裏面から始まってしまうため、全枚数を保存及び整理しなければならず、その結果、１枚多く保存、整理することになってしまい、その分保存、整理が面倒になっていた。このため、枚数を低減させるために、複写機で複写し直すこともあり得るが、文書の表裏が１ページずれてしまうため、手動で両面複写を行わなければならず、面倒な作業を伴うことになった。このような事態に対処するために、記録総ページが奇数の場合、第２ページ以降を第２枚目以降から記録することにより、第１ページ目にカバー表紙が送られてきたとき、用件のみの記録紙を整理、保存し易くすることができるファクシミリ装置が発明されている（特許文献１参照）。
【０００４】
【特許文献１】特開平６−２３３０９１号公報（段落（０００４）、（０００７）、（０００８）、図１、図８）
【０００５】
しかしながら、前記画像形成装置やファクシミリ装置では、印刷総ページが偶数ページか奇数ページかによって印刷時間を短縮したり、記録紙の記録面が同じ向きになるように統一整理して排紙することはなされていなかった。従って、両面印刷時に、印刷総ページが奇数ページである場合、印刷の必要がない偶数ページ分まで反転給紙手段を通すので、印刷時間が長くかかっていた。また、このとき印刷時間を短くすると、記録紙が例えばレターヘッド紙のような用紙自体に表面及び裏面の概念がある記録紙の場合、記録紙束の全てにおいて表面を奇数ページとして整列排紙されなくなり、最後に整列のための余分な手間がかかっていた。更に、片面印刷及び両面印刷において、記録紙の表面を奇数ページとし、給紙トレイに収納した状態の記録紙の上面が上面になるよう統一して整列排紙されなかった。このため整列排紙のためには印刷用紙を給紙トレイに収納するときに収納面の配置方向を考慮しなければならないという問題があった。
【０００６】
【発明が解決しようとする課題】
そこで本発明の第１の目的は、両面印刷時に、印刷総ページが奇数ページである場合、印刷時間が長くなるのを防止することであり、また第２の目的は、両面印刷時に、転写シートが例えばレターヘッド紙のような用紙自体に表面及び裏面の概念がある転写シートの場合、転写シート束の全てにおいて表面を奇数ページとして整列排紙することである。更に第３の目的は、片面印刷及び両面印刷において、転写シートの表面を奇数ページとし、給紙トレイに収納した状態の転写シート紙の上面が上面になるよう整列排紙することであり、そして第４の目的は、転写シートを給紙トレイに収納するときに収納面の配置方向を考慮しなくてもよいようにすることである。
【０００７】
【課題を解決するための手段】
請求項１の発明は、転写シートの第１の面に原稿の偶数ページを印刷し、該転写シートの印刷面を反転し、反転した転写シートの第２の面に原稿の奇数ページを印刷する印刷装置において、原稿の最終ページが奇数ページか偶数ページかを判定する手段と、原稿の最終ページが奇数ページであると判定されたとき、転写シートの第１の面に原稿の奇数ページを印刷する手段と、を備えたことを特徴とする印刷装置である。
【０００８】
請求項２の発明は、転写シートの第１の面に原稿の偶数ページを印刷し、該転写シートの印刷面を反転し、反転した転写シートの第２の面に原稿の奇数ページを印刷する印刷装置において、原稿の最終ページが奇数ページか偶数ページかを判定する手段と、転写シートの第１及び第２の面が表裏の区別を有するか否かを判定する手段と、原稿の最終ページが奇数ページであり且つ転写シートの第１及び第２の面が表裏の区別を有すると判定されたとき、転写シートの第２の面に原稿の奇数ページを印刷する手段と、を備えたことを特徴とする印刷装置である。
【０００９】
請求項３の発明は、転写シートの第１の面に原稿の偶数ページを印刷し、該転写シートの印刷面を反転し、反転した転写シートの第２の面に原稿の奇数ページを印刷する印刷装置において、片面印刷が指示されたか両面印刷が指示されたかを判定する手段と、片面印刷が指示されたと判定されたとき、転写シートに原稿を印刷する手段と、該転写シートの印刷面を反転して排紙する手段と、を備えたことを特徴とする印刷装置である。
【００１０】
請求項４の発明は、転写シートの第１の面に原稿の偶数ページを印刷し、該転写シートの印刷面を反転し、反転した転写シートの第２の面に原稿の奇数ページを印刷する印刷装置において、片面印刷が指示されたか両面印刷が指示されたかを判定する手段と、転写シートの第１及び第２の面が表裏の区別を有するか否かを判定する手段と、片面印刷が指示され且つ転写シートの第１及び第２の面が表裏の区別を有すると判定されたとき、転写シートの第１の面に原稿を印刷し、該転写シートの印刷面を反転して排紙する手段と、を備えたことを特徴とする印刷装置である。
【００１１】
【発明の実施の形態】
以下、本発明の実施形態について説明する。
図１は、本発明の実施形態に係るデジタル複写機の全体斜視図であり、図中、デジタル複写機１００は、原稿の読取り信号により所謂電子写真方式によって画像形成を行う画像形成部１、原稿を自動的に送って読取りを行わせる自動原稿給送部２、両面印刷を行うために片面に印刷された転写紙の移動方向を反転させる反転給紙機構３、転写紙の給紙カセット部４及び各種印刷設定を行い且つ設定結果等を表示する操作表示部５を有する。
【００１２】
図２は、本発明の実施形態に係るデジタル複写機の中央部側断面図である。
図２において、画像形成部１は、アルミニウム円筒表面に光導電性物質である有機半導体層を設けて構成した感光体ドラム１１、感光体ドラム１１の有機半導体層を一様に帯電させるための導電性弾性ローラ１２、レーザー光源１３及びその光学系を含み感光体ドラム上に静電潜像を形成するための露光装置１４、感光体ドラム１１上の静電潜像にトナーを付着させて現像を行う現像装置１５、感光体ドラム１１上に現像されたトナー像を転写紙Ｐに転写する転写装置１６、トナー像が転写された転写紙のトナー像を転写紙Ｐに加熱、加圧して定着させる定着装置１７、感光体ドラム１１の帯電を取除く徐電装置１８及び排紙ローラ１９からなる。
【００１３】
給紙カセット部４のカセット４１，４２に収納された転写紙Ｐは、給紙ローラ４１ａ、４２ａにより給紙され、搬送ローラ２１，２２によって画像形成部１を経て、切換器３３が排紙ローラ１９側に誘導するときは、排紙ローラ１９により排紙部２４に排紙される。
【００１４】
反転給紙機構３は、反転搬送路３１とその引込搬送路３２を有し、切換器３３が転写紙Ｐを反転給紙機構３側に誘導するとき、一旦引込搬送路３２側に搬送される。搬送が終了すると、切換器３４が引込搬送路の入り口部分を遮断するとともに、反転ローラ３３が矢印方向に回転することにより、反転搬送路３１側へと搬送され、搬送ローラ３５により再び画像形成部１へと搬送される。
【００１５】
給紙部６は、特殊サイズの転写紙を手差しで給紙できる給紙部であり、給紙ローラ６１を経て画像形成部１に給紙される。
【００１６】
図３は、デジタル複写機の制御系の要部ブロック構成図であり、図中、操作表示部５は、液晶ディスプレイ５ａ及びタッチパネル式キー入力部５ｂを有し、キー入力部５ｂから指示される各種の指示は、メインコントローラ５１の図示しないＣＰＵが判定し、各動作系を制御する。例えば、キー入力部５ｂから原稿の自動読取りが指示されると、ＡＤＦ２の原稿セット検知器２ａは、読取り原稿がセットされているかどうかを検知し、原稿がセットされているときは、搬送モータ２ｂを制御して原稿を１枚ずつ送り読み取りを行う。また印刷が指示されると、ＣＰＵはこれを判定し、メインモータ５３を駆動開始すると共に第１又は第２給紙クラッチ５４，５５、及び中間クラッチ５６を制御して転写紙を画像形成部１に搬送し印刷を行う。このときＩＰＵ（画像処理ユニット）５２は、スキャナの制御、原稿画像を画像メモリに書き込む制御、画像メモリから作像を行う制御等の制御を行う。
【００１７】
なお、メインコントローラ５１には図示が省略されているが、ＣＰＵの他に各動作系を立ち上げるためのプログラムを記録したＲＯＭや、画像データや各種のアプリケーションプログラムを記録したＨＤＤ装置、これらアプリケーションプログラムや原稿画像を作業のために一時的に展開する画像メモリ（ＲＡＭ）が備えられている。
【００１８】
次に、上記構成になるデジタル複写機の動作について説明する。
はじめに、通常行われている片面及び両面印刷について説明する。
ア）転写紙に片面印刷する場合は、ユーザーは操作表示部５の入力キー５ｂから片面印刷を指示すると、メインコントローラ５１はこの指示を判定し、第１給紙クラッチ５２により搬送ローラ４２ａを回転させて転写紙Ｐを画像形成部１に給紙する。この片面印刷指示により、画像形成部１は、所定の画像データの信号により変調されたレーザー光により感光体ドラム１１に静電潜像を作成し、現像装置１５で現像し、搬送された転写紙に転写装置１６で転写し、定着装置１７で定着後、排紙ローラ１９により排紙部２４に排紙する。
【００１９】
この場合、排紙トレイ４１に収納した状態の転写紙Ｐの上側の面が、図２において左向きになるように上方向に搬送されるので、前記上側の面が下向きになって排紙部２４に排紙されることになる。
【００２０】
イ）転写紙に両面印刷する場合は、ユーザーは操作表示部５の入力キー５ｂから両面印刷を指示すると、メインコントローラ５１はこの指示を判定し、第１給紙クラッチ５４により搬送ローラ４２ａを回転させて転写紙Ｐを画像形成部１に給紙する。両面印刷の指示により、メインコントローラ５１は、２ページ分の画像データをＲＡＭに展開し、最初に偶数ページの画像データでレーザー光を変調し、片面印刷のときと同様の電子写真方式により転写紙に印刷を行う。この転写紙は、両面印刷の設定に基く切換器２３の切換えにより、一旦反転給紙機構３の引込搬送路３２へ搬送される。搬送終了時点で反転ローラ３３が図２に示す矢印方向つまり反時計方向に回転することにより、これまでの搬送先端部と反対側の後端部が先頭となって反転搬送路３１に誘導され、再び画像形成部１に搬送される。このとき奇数ページの画像データにてレーザー光を変調し、前記同様の電子写真方式により転写紙に印刷を行う。このようにして両面印刷された転写紙は、切換器２３の切換えにより排紙ローラ１９により排紙部２４に排紙される。
【００２１】
この場合、排紙トレイ４１に収納した状態の転写紙の上側の面が、図２において左向きになるように上方向に搬送され、まず前記上側の面に偶数ページの印刷がなされ、次に搬送先端が逆転するので、前記上側の面が、図２において右向きになるように上方向に搬送され、排紙トレイ４１に収納した状態の転写紙の下側の面に奇数ページの印刷がなされ排紙される。このようにしてページ順の印刷と排紙が行われる。従って、排紙された状態での転写紙の向きは、排紙トレイ４１に収納した状態の転写紙の上側の面が、上向きになって排紙部２４に排紙されることになる。
【００２２】
（実施形態１）本実施形態は、両面印刷において印刷を早く終了させるか、印刷用紙束の全てにおいて表面を奇数ページとして整列排紙するかの選択を行うことを特徴とする。
ユーザーは、両面印刷において早期に印刷終了する印刷モード（以下、クイック終了モードと略称）を選択すると、メインコントローラ５１はＲＡＭに展開される画像データの総ページが奇数ページか偶数ページかを判定し、更に最終ページを判定する。そして総ページが奇数ページの場合は、最終ページは反転給紙機構３を通過しないように制御する。
【００２３】
また、ユーザーは、印刷用紙束の全てにおいて表面を奇数ページとして整列排紙するモード（以下、整列排紙モードと略称）を選択すると、企業名やロゴマーク等が既に印刷されている面を表面とすると、表面は印刷用紙束の全てにおいて奇数ページに位置すべきであるから、メインコントローラ５１は、例え最終ページが片面しか印刷の必要がない場合であっても反転給紙機構３を通過するように制御する。
【００２４】
図４は、片面印刷を行う処理、又は両面印刷において印刷を早く終了させる処理、又は印刷用紙束の全てにおいて表面を奇数ページとして整列排紙する処理を自動的に行う手順を示す図である。
図４を参照して上記の手順を説明すると、ユーザーにより、片面印刷又は両面印刷モード、及びクイック終了モード又は整列排紙モードが選択されると、デジタル複写機は印刷処理を開始し、ＨＤＤ装置から画像データを受信し（Ｓ１）、メインコントローラ５１のＲＡＭに展開する（Ｓ２）。そしてＣＰＵは両面印刷が指示されているか否かを判定し（Ｓ３）、両面印刷が指示されているとき（Ｓ３，ＹＥＳ）、更に当該印刷ページが奇数ページか偶数ページかを判定する（Ｓ４）。
【００２５】
両面印刷が指示されていないとき（Ｓ３，ＮＯ）、つまり片面印刷モードが選択されているときは、給紙トレイ４１又は４２から転写紙を給紙して画像形成部１にて転写し（Ｓ１０）、排紙トレイ２４に排紙する（Ｓ８）。これを全ページの排紙が終了するまで行う（Ｓ９）。
【００２６】
前記処理ステップＳ４において、印刷ページが奇数ページであると判定されたとき（Ｓ４，ＹＥＳ）、更に当該印刷処理ページが最終ページか否かを判定する（Ｓ５）。最終ページでなければ（Ｓ５，ＮＯ）、裏面（偶数ページ）が印刷された転写紙が反転給紙機構３への搬送が終了したか否かを判定する（Ｓ６）。終了していなければ終了するまで待ち、終了した場合においては（Ｓ６，ＹＥＳ）、反転給紙機構３から転写紙を画像形成部１に搬送して表面（奇数ページ）に印刷を行い（Ｓ７）、排紙トレイ２４に排紙する（Ｓ８）。これを全ページの排紙終了まで行う（Ｓ９）。
【００２７】
前記処理ステップＳ５において、当該印刷処理ページが最終ページであると判定された場合においては（Ｓ５，ＹＥＳ）、クイック終了モード又は整列排紙モードのいずれが選択されているか、つまり転写紙を反転給紙機構３を通過させる設定か否かを判定する（Ｓ１３）。反転給紙機構３を通過させる設定でないとき（クイック終了モードのとき）（Ｓ１３，ＮＯ）、給紙トレイ４１又は４２から給紙して画像形成部１にて印刷を行い（Ｓ１０）、排紙トレイ２４に排紙する（Ｓ８）。そして全ページについて排紙が終了したかどうか判定して（Ｓ９）、この処理を終了する。
【００２８】
反転給紙機構３を通過させる設定であるとき（整列排紙モードのとき）（Ｓ１３，ＹＥＳ）、給紙トレイ４１又は４２から転写紙を給紙し、一旦反転給紙機構３への搬送を行う（Ｓ１４）。続いて、反転給紙機構３から画像形成部１に搬送して印刷処理し（Ｓ７）、排紙トレイ２４に排紙する（Ｓ８）。そして全ページについて排紙が終了したかどうか判定して（Ｓ９）、この処理を終了する。
【００２９】
本実施形態によれば、両面印刷且つ総ページが奇数ページである場合、最終ページを反転給紙機構を通過させる分、搬送経路が長くなり、印刷時間がかかるのを防止することができる。また、両面印刷且つ総ページが奇数ページである場合、最終ページを反転給紙機構を通過させる分、搬送経路が長くなり印刷時間がかかるが、印刷用紙束の全てにおいて転写紙の第１面（表面）を奇数ページとして整列排紙するので、最終ページの整列の手間を省くことができる。
【００３０】
（実施形態２）本実施形態は、表裏の区別のない一般紙への両面印刷か、或いは表裏の区別のある特別紙への両面印刷かによって印刷を早く終了させるか、印刷用紙束の全てにおいて表面を奇数ページとして整理排紙するかの選択を行うことを特徴とする。
上述の実施形態１は、両面印刷において印刷を早く終了させるか、印刷用紙束の全てにおいて表面を奇数ページとして整列排紙するかの選択によって反転給紙機構を通過させるか否かの実施形態として説明しているが、実施形態２は、印刷を早く終了させるか、印刷用紙束の全てにおいて表面を奇数ページとして整列排紙するという区分けによることなく、一般紙を使用するか特別紙を使用するかににより、最終ページを反転給紙機構３を通過させないようにし、或いは全ての転写紙を通過させるようにする。
【００３１】
このときの処理手順は、図５に示した処理手順となるが、処理の内容は図４の処理手順と基本的に同じであるので、重複を避けるため詳細説明は省略する。
相違する部分は、図４のステップＳ１３においてＣＰＵが一般紙と特別紙のいずれの転写紙が指定されているかを判定するようにする（図５のＳ１３０参照）。
【００３２】
なお、本実施形態において、一般紙への印刷が指示されたときは、第１給紙クラッチ５２により搬送ローラ４１ａを回転させて一般紙を、又は特別紙への印刷が指示されたときは、第２給紙クラッチ５３により搬送ローラ４２ａを回転させて特別紙を、それぞれ画像形成部１に給紙する。
【００３３】
本実施形態によれば、一般紙への両面印刷且つ総ページが奇数ページである場合、最終ページを、反転給紙機構を通過させる分、搬送経路が長くなり印刷時間がかかるのを防止することができる。また、転写紙が例えばレターヘッド紙のような用紙自体に表裏の概念がある特別紙への両面印刷の場合、企業名やロゴマーク等が既に印刷されている面を表面として、印刷用紙束の全てにおいて表面を奇数ページとして整列排紙することができる。
【００３４】
（実施形態３）本実施形態は、両面印刷及び片面印刷において、転写紙の第１面（表面）を奇数ページとし且つ給紙トレイに収納した状態の転写紙の上面が上面になるよう整列排紙することを特徴とする。
再び図２及び図３において、ユーザーは、操作表示部５の入力キー５ｂから、転写紙の第１面（表面）を奇数ページとし且つ給紙トレイに収納した状態の転写紙の上面が上面になるよう整列排紙する印刷モード（以下、上面整列排紙モードと略称）を選択すると、メインコントローラ５１のＣＰＵは選択されたモードを判定し、給紙トレイ４１，４２から反転給紙機構３に給紙し、反転給紙機構３で反転して画像形成部１に給紙する。
【００３５】
画像形成部１は、所定の画像データの信号により変調されたレーザー光により感光体ドラム１１に静電線像を作成し、現像装置１５で現像し、搬送された転写紙に転写装置１８で転写し、定着装置１７で定着し、排紙ローラ１９により排紙部２４に排紙する。
【００３６】
図６は、両面印刷及び片面印刷において、転写紙の第１面（表面）を奇数ページとし且つ給紙トレイに収納した状態の転写紙の上面が上面になるよう整列排紙する処理の手順を示す図である。
図６を参照して上記の手順を説明すると、ユーザーにより、上面整列排紙モードが選択されると、デジタル複写機は印刷処理を開始し、ＨＤＤ装置から画像データを受信し（Ｓ２１）、メインコントローラ５１のＲＡＭに展開する（Ｓ２２）。そしてＣＰＵは上面整列排紙モードが選択されているか、つまり反転給紙機構３を通す設定か否かを判定する（Ｓ２３）。
【００３７】
上面整列排紙モードが選択されていないとき（Ｓ２３，ＮＯ）、通常の片面印刷処理を全ページについて行う（Ｓ２８，Ｓ２９）。
【００３８】
上面整列排紙モードが選択されているとき（Ｓ２３，ＹＥＳ）、両面印刷が指示されているか否かを判定する（Ｓ２４）。
【００３９】
両面印刷が指示されていないとき、つまり片面印刷のときは（Ｓ２４，ＮＯ）、給紙トレイ４１又は４２から給紙された転写紙Ｐを反転給紙機構３に搬送し（Ｓ２６）、転写を反転させて画像形成部１に搬送し片面印刷を行う（Ｓ２７）。これを全ページ終了まで行う（Ｓ２９）。
【００４０】
上記処理ステップＳ２４において、メインコントローラのＣＰＵが両面印刷が指示されていると判定したとき（Ｓ２４，ＹＥＳ）、更に当該処理ページが奇数ページであり且つ最終ページが否かを判定し（Ｓ２５）、奇数ページ且つ最終ページであると判定したとき（Ｓ２５，ＹＥＳ）、給紙トレイ４１又は４２から給紙された転写紙を反転給紙機構３に搬送し（Ｓ２６）、転写紙を反転させて画像形成部１に搬送し印刷を行う（Ｓ２７）。これを全ページの排紙終了まで行う（Ｓ２９）。
【００４１】
奇数ページ且つ最終ページであると判定されないとき（Ｓ２５，ＮＯ）、通常の両面印刷を全ページ排紙終了まで行う（Ｓ２８，Ｓ２９）。
【００４２】
本実施形態によれば、片面印刷においても両面印刷の場合と同じように、転写紙を給紙トレイに収納した状態の転写紙の上面が上面になるよう整列排紙されるので、ユーザーは印刷物の取り扱いが楽になる。
【００４３】
（実施形態４）本実施形態は、特別紙の両面印刷及び片面印刷において、第１面（表面）を奇数ページとし且つ給紙トレイに収納した状態の転写紙の上面が上面になるよう整列排紙することを特徴とする。
上述の実施形態３は、両面印刷及び片面印刷において、転写紙の第１面（表面）を奇数ページとし且つ給紙トレイに収納した状態の転写紙の上面が上面になるよう整列排紙する上面整列排紙モードの選択を判定する実施形態として説明しているが、実施形態４は、両面印刷及び片面印刷において、一般紙と特別紙のいずれの紙種が選択されているかを判定することにより、特別紙の両面印刷及び片面印刷においても、第１面（表面）を奇数ページとし且つ給紙トレイに収納した状態の転写紙の上面が上面になるよう整列排紙する。
【００４４】
このときの処理手順は、図７に示した処理手順となるが、処理の内容は図６の処理手順と基本的に同じであるので、重複部分の説明は省略する。相違する部分は、図６のステップＳ２３においてＣＰＵが一般紙と特別紙のいずれの転写紙が選択されているかを判定するようにするところである（図７のＳ２３０参照）。
【００４５】
本実施形態によれば、片面印刷用の特別紙を収納する給紙トレイ４１と両面印刷用の特別紙を収納する給紙トレイ４２とで表面を上面にするか表面を下面にするかなどの２種類の転写紙の配置を用意する必要がなくなる。
【００４６】
【発明の効果】
請求項１の発明に対応する効果：  両面印刷且つ総ページが奇数ページである場合、最終ページを反転給紙機構を通過させる分、搬送経路が長くなり、印刷時間がかかるのを防止することができる。
請求項２の発明に対応する効果：  転写シートが例えばレターヘッド紙のような用紙自体に表裏の概念がある特別転写シートへの両面印刷の場合、転写シート束の全てにおいて表面を奇数ページとして整列排紙することができる。
請求項３の発明に対応する効果：  片面印刷においても両面印刷の場合と同じように、転写シートを収納部に収納した状態の転写シートの上面が上面になるよう整列排出することができるので、ユーザーは印刷済み転写シートの取り扱いが楽になる。
請求項４の発明に対応する効果：  片面印刷用の特別転写シートを収納する収納部と両面印刷用の特別転写シートを収納する収納部とで表面を上面にするか表面を下面にするかなどの２種類の転写シートの収納配置を考慮する必要がなくなるので、ユーザーは印刷用転写シートの取り扱いが楽になる。
【図面の簡単な説明】
【図１】本発明の実施形態に係るデジタル複写機の全体斜視図である。
【図２】本発明の実施形態に係るデジタル複写機の中央部側断面図である。
【図３】デジタル複写機の制御系の要部ブロック構成図である。
【図４】片面印刷又は両面印刷において印刷を早く終了させ又は整列排紙する処理を行う手順を示す図である。
【図５】片面印刷又は両面印刷において印刷を早く終了させ又は整列排紙する処理を行う手順を示す図である。
【図６】両面印刷及び片面印刷において、給紙トレイに収納した状態の転写紙の上面が上面になるよう整列排紙する処理の手順を示す図である。
【図７】両面印刷及び片面印刷において、給紙トレイに収納した状態の転写紙の上面が上面になるよう整列排紙する処理の手順を示す図である。
【符号の説明】
１・・・画像形成部、２・・・自動原稿給送部、３・・・反転給紙機構、４・・・給紙カセット部、５・・・操作表示部、１１・・・感光体ドラム、１２・・・帯電ローラ、１３・・・レーザー光源、１４・・・露光装置、１５・・・現像装置、１６・・・転写装置、１７・・・定着装置、１８・・・徐電装置、１９・・・排紙ローラ、２４・・・排紙部。
【図１】
2004226586.tif 000003
【図２】
2004226586.tif 000004
【図３】
2004226586.tif 000005
【図４】
2004226586.tif 000006
【図５】
2004226586.tif 000007
【図６】
2004226586.tif 000008
【図７】
2004226586.tif 000009